(57)【要約】  本開示は画素駆動方法、画素駆動装置および表示装置を提供する。当該方法は、１フレーム画面内の各画素の輝度に基づいて、１フレーム画面の輝度の総和を生成するステップと、１フレーム画面の輝度の総和と当該フレーム画面のデータ電圧補償値の一対一の対応関係を含む予め設定された第１の対応関係の中から、生成された輝度の総和に対応するデータ電圧補償値を照会するステップと、前記データ電圧補償値に基づいて、当該フレーム画面のデータ電圧を補償して補償後のデータ電圧を生成するステップと、前記補償後のデータ電圧を表示パネルへ出力するステップと、を含む。
2020537168.tif 000002
【特許請求の範囲】
【請求項１】
１フレーム画面内の各画素の輝度に基づいて、１フレーム画面の輝度の総和を生成するステップと、
１フレーム画面の輝度の総和と当該フレーム画面のデータ電圧補償値の一対一の対応関係を含む第１の対応関係の中から、生成された輝度の総和に対応するデータ電圧補償値を照会するステップと、
前記データ電圧補償値に基づいて、当該フレーム画面のデータ電圧を補償して補償後のデータ電圧を生成するステップと、
前記補償後のデータ電圧を表示パネルへ出力するステップと、を含む画素駆動方法。
【請求項２】
１フレーム画面内の各画素の輝度に基づいて、１フレーム画面データの輝度の総和を生成する前記ステップの前に、
１フレーム画面の輝度の総和と当該フレーム画面での画素の電圧差平均値の一対一の対応関係を含む第２の対応関係を構築するステップと、
１フレーム画面での画素の電圧差平均値と当該フレーム画面のデータ電圧補償値の一対一の対応関係を含む第３の対応関係を構築するステップと、
前記第２の対応関係と第３の対応関係に基づいて第１の対応関係を生成するステップと、をさらに含み、
前記電圧差平均値は、当該フレーム画面での全画素の感知電圧の平均値または、一部の画素の感知電圧の平均値である、請求項１に記載の画素駆動方法。
【請求項３】
１フレーム画面での前記一部の画素の感知電圧の平均値は、当該フレーム画面での設定行数の画素の感知電圧の平均値である、請求項２に記載の画素駆動方法。
【請求項４】
１フレーム画面内の各画素の輝度に基づいて、１フレーム画面データの輝度の総和を生成する前記ステップの前に、
１フレーム画面内の各画素のデータ電圧に基づいて、各画素の輝度を生成するステップをさらに含む、請求項１に記載の画素駆動方法。
【請求項５】
前記データ電圧補償値に基づいて、データ電圧を補償して補償後のデータ電圧を生成する前記ステップは、
前記データ電圧補償値に基づいて、当該フレーム画面の感知行画素のデータ電圧を補償するステップを含み、
前記補償後のデータ電圧を表示パネルに出力するステップは、
補償後のデータ電圧を前記表示パネルの感知行画素へ出力するステップを含む、請求項１に記載の画素駆動方法。
【請求項６】
前記データ電圧補償値に基づいて、データ電圧を補償して補償後のデータ電圧を生成する前記ステップは、
前記データ電圧補償値に基づいて、当該フレーム画面の全画素のデータ電圧を補償するステップを含み、
前記補償後のデータ電圧を表示パネルに出力するステップは、
補償後のデータ電圧を前記表示パネルの全画素へ出力するステップを含む、請求項１に記載の画素駆動方法。
【請求項７】
メモリと、
前記メモリと互いに結合されたプロセッサと、を備える画素駆動装置であって、
前記メモリは、
１フレーム画面内の各画素の輝度に基づいて、１フレーム画面の輝度の総和を生成し、
１フレーム画面の輝度の総和と当該フレーム画面のデータ電圧補償値の一対一の対応関係を含む第１の対応関係の中から、生成された輝度の総和に対応するデータ電圧補償値を照会し、
前記データ電圧補償値に基づいて、当該フレーム画面のデータ電圧を補償して補償後のデータ電圧を生成し、
前記補償後のデータ電圧を表示パネルへ出力する、
という操作を前記プロセッサに実行させるための、コンピュータ実行可能なコマンドを記憶するものである、画素駆動装置。
【請求項８】
前記コンピュータ実行可能なコマンドが、
１フレーム画面の輝度の総和と当該フレーム画面での画素の電圧差平均値の一対一の対応関係を含む第２の対応関係を構築し、
１フレーム画面での画素の電圧差平均値と当該フレーム画面のデータ電圧補償値の一対一の対応関係を含む第３の対応関係を構築し、
前記第２の対応関係と第３の対応関係に基づいて第１の対応関係を生成する、
という操作を前記プロセッサに実行させ、
前記電圧差平均値は、当該フレーム画面での全画素の感知電圧の平均値または、一部の画素の感知電圧の平均値である、請求項７に記載の画素駆動装置。
【請求項９】
１フレーム画面での前記一部の画素の感知電圧の平均値は、当該フレーム画面での設定行数の画素の感知電圧の平均値である、請求項８に記載の画素駆動装置。
【請求項１０】
前記コンピュータ実行可能なコマンドが、
１フレーム画面内の各画素の輝度に基づいて、１フレーム画面データの輝度の総和を生成する前記ステップの前に、１フレーム画面内の各画素のデータ電圧に基づいて、各画素の輝度を生成する、
という操作を前記プロセッサに実行させる、請求項８に記載の画素駆動装置。
【請求項１１】
表示パネルと、請求項７〜１０のいずれか一項に記載の画素駆動装置と、を有する表示装置。
【発明の詳細な説明】
【技術分野】
【０００１】
関連出願の相互参照
本願は、２０１７年１０月１７日に中国知識産権局に提出された出願番号２０１７１０９６３９６４．Ｘの優先権を主張し、そのすべての内容を参照によりここに援用する。
【０００２】
本願は表示技術分野に関するものであり、特に、画素駆動方法、画素駆動装置および表示装置に関するものである。
【背景技術】
【０００３】
有機発光ダイオード（Ｏｒｇａｎｉｃ  Ｌｉｇｈｔ−Ｅｍｉｔｔｉｎｇ  Ｄｉｏｄｅ、略称ＯＬＥＤ）表示装置は、有機エレクトロルミネセンスを用いて製作されるディスプレイスクリーンである。自発光有機エレクトロルミネセンスダイオードを有し、バックライト不要、高コントラスト、厚さが薄い、広視野角、高速レスポンス、可撓性パネルに使用できる、使用温度範囲が広い、構造及び製造プロセスが比較的簡単であるなどの優れた特性を併せ持つことから、次世代のフラットパネルディスプレイ技術として知られている。
【０００４】
ＯＬＥＤ表示装置は、画素外部補償駆動回路を備え、画素外部補償駆動回路の駆動と補償の下で画面を表示することができ、基本的には行感知以外の補償時間内において画面全体が発光する。表示装置の画面切り替え過程において、特に白黒画面の階調差が大きい画面の循環切り替えでは、電源ノイズ、ＴＦＴヒステリシス、光安定性不良などの原因により、同じデータ電圧駆動でドライバＴＦＴがセンス線（Ｓｅｎｓｅ  ｌｉｎｅ）を充電することにより生じるセンス線の感知電圧の不一致により、表示される画面に横帯状のしま模様（Ｍｕｒａ）が発生する。
【発明の概要】
【課題を解決するための手段】
【０００５】
本開示は、表示される画面に横帯状のしま模様が発生するのを回避するための、画素駆動方法、画素駆動装置および表示装置を提供する。
【０００６】
一形態において、本開示は、１フレーム画面内の各画素の輝度に基づいて、１フレーム画面の輝度の総和を生成するステップと、１フレーム画面の輝度の総和と当該フレーム画面のデータ電圧補償値の一対一の対応関係を含む第１の対応関係の中から、生成された輝度の総和に対応するデータ電圧補償値を照会するステップと、前記データ電圧補償値に基づいて、当該フレーム画面のデータ電圧を補償して補償後のデータ電圧を生成するステップと、前記補償後のデータ電圧を表示パネルへ出力するステップと、を含む画素駆動方法を提供する。
【０００７】
一部の実施例において、１フレーム画面内の各画素の輝度に基づいて、１フレーム画面データの輝度の総和を生成する前記ステップの前に、１フレーム画面の輝度の総和と当該フレーム画面での画素の電圧差平均値の一対一の対応関係を含む第２の対応関係を構築するステップと、１フレーム画面での画素の電圧差平均値と当該フレーム画面のデータ電圧補償値の一対一の対応関係を含む第３の対応関係を構築するステップと、前記第２の対応関係と第３の対応関係に基づいて第１の対応関係を生成するステップと、をさらに含み、前記電圧差平均値は、当該フレーム画面での全画素の感知電圧の平均値または、一部の画素の感知電圧の平均値である。
【０００８】
一部の実施例において、１フレーム画面での前記一部の画素の感知電圧の平均値は、当該フレーム画面での設定行数の画素の感知電圧の平均値である。
【０００９】
一部の実施例において、１フレーム画面内の各画素の輝度に基づいて、１フレーム画面データの輝度の総和を生成する前記ステップの前に、前記方法は、１フレーム画面内の各画素のデータ電圧に基づいて、各画素の輝度を生成するステップをさらに含む。
【００１０】
一部の実施例において、前記データ電圧補償値に基づいて、データ電圧を補償して補償後のデータ電圧を生成する前記ステップは、前記データ電圧補償値に基づいて、当該フレーム画面の感知行画素のデータ電圧を補償するステップを含む。前記補償後のデータ電圧を表示パネルに出力するステップは、補償後のデータ電圧を前記表示パネルの感知行画素へ出力するステップを含む。
【００１１】
一部の実施例において、前記データ電圧補償値に基づいて、データ電圧を補償して補償後のデータ電圧を生成する前記ステップは、前記データ電圧補償値に基づいて、当該フレーム画面の全画素のデータ電圧を補償するステップを含む。前記補償後のデータ電圧を表示パネルに出力するステップは、補償後のデータ電圧を前記表示パネルの全画素へ出力するステップを含む。
【００１２】
別の形態において、本開示はメモリと、前記メモリと互いに結合されたプロセッサと、を備える画素駆動装置を提供する。前記メモリは、１フレーム画面内の各画素の輝度に基づいて、１フレーム画面の輝度の総和を生成し、１フレーム画面の輝度の総和と当該フレーム画面のデータ電圧補償値の一対一の対応関係を含む第１の対応関係の中から、生成された輝度の総和に対応するデータ電圧補償値を照会し、前記データ電圧補償値に基づいて、当該フレーム画面のデータ電圧を補償して補償後のデータ電圧を生成し、前記補償後のデータ電圧を表示パネルへ出力する、という操作を前記プロセッサに実行させるための、コンピュータ実行可能なコマンドを記憶するものである。
【００１３】
一部の実施例では、前記コンピュータ実行可能なコマンドが、１フレーム画面の輝度の総和と当該フレーム画面での画素の電圧差平均値の一対一の対応関係を含む第２の対応関係を構築し、１フレーム画面での画素の電圧差平均値と当該フレーム画面のデータ電圧補償値の一対一の対応関係を含む第３の対応関係を構築し、前記第２の対応関係と第３の対応関係に基づいて第１の対応関係を生成する、という操作を前記プロセッサに実行させ、前記電圧差平均値は、当該フレーム画面での全画素の感知電圧の平均値または、一部の画素の感知電圧の平均値である。
【００１４】
一部の実施例において、１フレーム画面での前記一部の画素の感知電圧の平均値は、当該フレーム画面での設定行数の画素の感知電圧の平均値である。
【００１５】
一部の実施例では、前記コンピュータ実行可能なコマンドが、１フレーム画面内の各画素の輝度に基づいて、１フレーム画面データの輝度の総和を生成する前記ステップの前に、１フレーム画面内の各画素のデータ電圧に基づいて、各画素の輝度を生成する、という操作を前記プロセッサに実行させる。
【００１６】
別の形態において、本開示は、表示パネルと上記の画素駆動装置とを有する表示装置を提供する。
【図面の簡単な説明】
【００１７】
【図１】本開示の実施例が提供する画素駆動方法のフロー図である。
【図２】本開示の実施例が提供する画素駆動方法のフロー図である。
【図３】図２に示す方法における第２の対応関係の模式図である。
【図４】本開示の実施例の画素駆動方法に応用可能な画素外部補償駆動回路の構造模式図である。
【図５】図２に示す方法における第３の対応関係の模式図である。
【図６】本開示の実施例の方法における第１の対応関係の模式図である。
【図７】本開示の実施例が提供する画素駆動装置の構造模式図である。
【発明を実施するための形態】
【００１８】
当業者が本開示の技術案をよりよく理解できるように、以下では本開示が提供する画素駆動方法、画素駆動装置および表示装置について図面を組み合わせて詳細に説明する。
【００１９】
図１は本開示の実施例が提供する画素駆動方法のフロー図である。図１に示すように当該方法はステップ１０１から１０４を含む。
【００２０】
ステップ１０１では、１フレーム画面内の各画素の輝度に基づいて、１フレーム画面の輝度の総和を生成する。例えば、１フレーム画面内の全画素の輝度を合算して当該フレーム画面の輝度の総和を求める。
【００２１】
ステップ１０２では、１フレーム画面の輝度の総和と当該フレーム画面のデータ電圧補償値の一対一の対応関係を含む第１の対応関係の中から、生成された輝度の総和に対応するデータ電圧補償値を照会する。つまり、第１の対応関係において、１フレーム画面の輝度の総和の１つの値と当該フレーム画面の１つのデータ電圧補償値には関連性がある。一部の実施例において、第１の対応関係は予め設定することができる。
【００２２】
ステップ１０３では、前記データ電圧補償値に基づいて、データ電圧を補償して補償後のデータ電圧を生成する。一部の実施例では、データ電圧補償値に基づいて当該フレーム画面の各画素のデータ電圧を補償する。
【００２３】
ステップ１０４では、補償後のデータ電圧を表示パネルへ出力する。
【００２４】
本開示の実施例が提供する画素駆動方法では、１フレーム画面の各画素の輝度の総和に基づいて、輝度の総和に対応するデータ電圧補償値を照会し、データ電圧補償値に基づいて、当該フレーム画面の各画素のデータ電圧を補償して補償後のデータ電圧を生成し、補償後のデータ電圧を表示パネルへ出力する。したがって、補償後のデータ電圧の駆動において感知電圧が一致するため、表示画面に横帯状のしま模様が発生することを回避できる。
【００２５】
図２は本開示の実施例が提供する画素駆動方法のフロー図である。図２に示すように当該方法はステップ２０１から２０８を含む。
【００２６】
ステップ２０１では、１フレーム画面の輝度の総和と当該フレーム画面での画素の電圧差平均値の一対一の対応関係を含む第２の対応関係を構築する。つまり、第２の対応関係において、１フレーム画面の輝度の総和の１つの値と当該フレーム画面での画素の電圧差平均値には関連性がある。前記電圧差平均値は、当該フレーム画面での着目画素（例えば一部の画素もしくは全画素）の感知電圧の平均値であってよい。
【００２７】
一部の実施例において、第２の対応関係は第２のルックアップテーブル（Ｌｏｏｋ−Ｕｐ−Ｔａｂｌｅ、略称ＬＵＴ）として実施することができる。図３は第２の対応関係の模式図である。図３に示すように、横座標は電圧差平均値、縦座標は輝度の総和、曲線上の各点は輝度の総和の１つの値とそれに関連する１つの電圧差平均値との間の対応関係を示す。輝度の総和と電圧差平均値との間には線形関係があることが見て取れる。
【００２８】
表示装置は表示パネルと画素駆動装置とを含み、本実施例における各ステップは、画素駆動装置によって実行することができる。表示パネルは複数の画素を含み、各画素は外部駆動回路と当該外部駆動回路に接続される発光素子とを備え、発光素子はＯＬＥＤであってよい。図４は本開示の画素駆動方法に応用可能な画素外部補償駆動回路の構造模式図である。図４に示すように、当該外部駆動回路は第１のスイッチング素子Ｔ１と、ドライバＤｒＴと、第２のスイッチング素子Ｔ２と、第１のキャパシタＣｓｔと、第２のキャパシタＣｓｅｎと、を含む。第１のスイッチング素子Ｔ１の制御極は第１のゲートＧ１に接続され、第１のスイッチング素子Ｔ１の第１極はデータ線Ｄａｔａに接続され、第１のスイッチング素子Ｔ１の第２極は第２のノードＢに接続される。第１のキャパシタＣｓｔの第１端は第２のノードＢに接続され、第２のキャパシタＣｓｔの第２端は第１のノードＡに接続される。ドライバＤｒＴの制御極は第２のノードＢに接続され、ドライバＤｒＴの第１極は電源ＶＤＤに接続され、ドライバＤｒＴの第２極はＯＬＥＤの第１極に接続される。第２のスイッチング素子Ｔ２の制御極は第２のゲートＧ２に接続される。第２のスイッチング素子Ｔ２の第１極は第１のノードＡに接続され、第２のスイッチング素子Ｔ２の第２極はセンス線Ｓｅｎｓｅ  ｌｉｎｅに接続される。第２のキャパシタＣｓｅｎの第１端はセンス線Ｓｅｎｓｅ  ｌｉｎｅに接続され、第２のキャパシタＣｓｅｎの第２端は接地する。ＯＬＥＤの第１端は第１のノードＡに接続され、ＯＬＥＤの第２端は接地する。図４では外部駆動回路の構造の一種を表示しているだけにすぎず、実際の応用において、画素外部駆動回路はその他の構造を用いてもよく、ここでは逐一列挙しない。
【００２９】
表示パネルは製作完了後、工場出荷前に一次検査が行われる。一次検査の際には、ブランキング期間のような非表示期間にセンスデータ（Ｓｅｎｓｅ  Ｄａｔａ）電圧を固定して、表示段階において、表示パネルにおける各画素に対応するデータ線Ｄａｔａにデータ電圧を入力し、異なる階調に応じて異なる画面切り替えをし、異なる画面内の各画素は設定された階調で表示され、階調と輝度が対応関係を有するため、異なる画面内の各画素は設定された輝度で表示される。一部の実施例において、表示パネルは異なる階調を有する単色画面を表示することができ、つまり、表示パネルは異なる階調に応じて異なる単色画面を切り替え、表示パネル内の各画素が、設定された輝度で１フレーム画面を表示する時に、各画素の輝度を記録して１フレーム画面内の全画素の輝度の和を算出し、これにより１フレーム画面の輝度の総和を求める。また、表示パネル内の各画素が、設定された輝度で画面を表示する時に、一部もしくは全画素のセンス線（Ｓｅｎｓｅ  ｌｉｎｅ）電圧を記録して、記録した全画素の感知電圧の平均値を算出し、当該平均値は当該画面での画素の電圧差平均値である。本実施例では、異なる階調の画面を切り替えることによって異なる輝度の総和と、対応する電圧差平均値とを得る。
【００３０】
一部の実施例において、電圧差平均値は１フレーム画面での全画素の感知電圧の平均値である。このような場合、１フレーム画面の全画素における感知電圧を記録して１フレーム画面の全画素の感知電圧平均値を算出することができ、当該平均値は当該フレーム画面での画素の電圧差平均値である。１フレーム画面の全画素の感知電圧を用いて電圧差平均値を算出することで、算出された電圧差平均値をより正確なものにすることができる。
【００３１】
一部の実施例において、電圧差平均値は１フレーム画面での設定行数の画素の感知電圧の平均値である。例えば、設定行数は１行である。このような場合、１フレーム画面の設定行数内の各画素の感知電圧を記録して１フレーム画面の設定行数の画素の感知電圧平均値を算出することができ、当該平均値は当該フレーム画面での画素の電圧差平均値である。１フレーム画面の一部の画素の感知電圧を用いて電圧差平均値を算出することで、感知電圧の記憶空間を節約し、電圧差平均値の算出速度を向上させている。
【００３２】
ステップ２０２では、１フレーム画面での画素の電圧差平均値とデータ電圧補償値の一対一の対応関係を含む第３の対応関係を構築する。つまり、第３の対応関係において、１フレーム画面での電圧差平均値と当該フレーム画面でのデータ電圧補償値には関連性がある。ここで、データ電圧補償値は、当該フレーム画面での全画素に対するデータ電圧補償値であってよい。
【００３３】
表示パネルが異なる階調に応じて異なる画面を切り替える過程において、各１フレーム画面に対して、当該フレーム画面での画素の電圧差平均値を算出して記録した後、当該フレーム画面の画素のデータ電圧にデータ電圧補償値を設定して当該データ電圧補償値を調整し、当該フレーム画面表示を人の眼で見た時に横帯状のしま模様が発生しなくなるまで、データ電圧補償値に基づいてデータ電圧を補償し、この時のデータ電圧補償値は当該フレーム画面での画素の電圧差平均値に関連性のあるデータ電圧補償値である。異なる階調の各フレーム画面に対して、データ電圧補償値をそれぞれ記録することで、電圧差平均値とデータ電圧補償値の一対一の対応関係を構築する。
【００３４】
一部の実施例において、第３の対応関係は第３のＬＵＴとして実施することができる。図５は第３の対応関係の模式図である。図５に示すように、横座標はデータ電圧補償値、縦座標は電圧差平均値であり、曲線上の各点は１つの電圧差平均値とそれに関連する１つのデータ電圧補償値との間の対応関係を示す。電圧差平均値とデータ電圧補償値との間には線形関係があることが見て取れる。
【００３５】
ステップ２０３では、第２の対応関係と第３の対応関係に基づいて第１の対応関係を生成する。
【００３６】
具体的に、第２の対応関係は、１フレーム画面の輝度の総和と当該フレーム画面での画素の電圧差平均値の一対一の対応関係を含み、第３の対応関係は、１フレーム画面での画素の電圧差平均値とデータ電圧補償値の一対一の対応関係を含むため、１フレーム画面での画素の電圧差平均値によって、１フレーム画面の輝度の総和とデータ電圧補償値を対応させることができ、これにより、１フレーム画面の輝度の総和とデータ電圧補償値の一対一の対応関係を含む第１の対応関係を形成する。
【００３７】
一部の実施例において、第１の対応関係は第１のＬＵＴとして実施することができる。図６は第１の対応関係の模式図であり、図６に示すように、横座標はデータ電圧補償値、縦座標は輝度の総和、曲線上の各点は輝度の総和の１つの値とそれに関連する１つのデータ電圧補償値との間の対応関係を示す。輝度の総和とデータ電圧補償値との間には線形関係があることが見て取れる。
【００３８】
ここまでで第１の対応関係の構築過程が完了する。構築された第１の対応関係を所定のメモリに記憶できる。
【００３９】
ステップ２０４では、１フレーム画面内の各画素のデータ電圧に基づいて、各画素の輝度を生成する。
【００４０】
表示パネルが表示する時、後続でのデータ電圧に対する補償に便宜を図るために、表示パネルに入力するデータ電圧に基づいて表示パネルの各画素の輝度を算出できる。
【００４１】
具体的には、データ電圧と輝度が対応関係を有するため、輝度とデータ電圧の関係式（もしくは関係曲線）を予め設置することができる。その後、輝度とデータ電圧の関係式（もしくは関係曲線）によって、１フレーム画面内の各画素のデータ電圧に基づいて各画素の輝度を算出できる。
【００４２】
ステップ２０５では、１フレーム画面内の各画素の輝度に基づいて、１フレーム画面の輝度の総和を生成する。
【００４３】
具体的に、１フレーム画面内の全画素の輝度を合算して１フレーム画面の輝度の総和を求めることができる。
【００４４】
ステップ２０６では、ステップ２０３から得られた、１フレーム画面の輝度の総和とデータ電圧補償値の一対一の対応関係を含む第１の対応関係の中から、ステップ２０５で算出された輝度の総和に対応するデータ電圧補償値を照会する。
【００４５】
ステップ２０７では、ステップ２０６で得られたデータ電圧補償値に基づいてデータ電圧を補償して補償後のデータ電圧を生成する。
【００４６】
具体的に、ステップ２０４でのデータ電圧とステップ２０６で得られたデータ電圧補償値を合算して補償後のデータ電圧を求めることができる。
【００４７】
一部の実施例では、データ電圧補償値に基づいて、当該フレーム画面の感知行画素のデータ電圧を補償することができる。つまり、当該フレーム画面の感知行画素のデータ電圧とデータ電圧補償値を合算して当該フレーム画面の感知行画素の補償後のデータ電圧を求める。
【００４８】
一部の実施例では、データ電圧補償値に基づいて、当該フレーム画面の全画素のデータ電圧を補償することができる。つまり、当該フレーム画面の全画素のデータ電圧とデータ電圧補償値を合算して当該フレーム画面の全画素の補償後のデータ電圧を求める。
【００４９】
ステップ２０８では、補償後のデータ電圧を表示パネルへ出力する。
【００５０】
一部の実施例では、補償後のデータ電圧を表示パネルの感知行画素へ出力する。感知行画素は補償後のデータ電圧に基づいて表示される。
【００５１】
一部の実施例では、補償後のデータ電圧を表示パネルの全画素へ出力し、これらの画素は補償後のデータ電圧に基づいて表示される。
【００５２】
本開示の実施例が提供する画素駆動方法では、１フレーム画面の輝度の総和に基づいて、輝度の総和に対応するデータ電圧補償値を照会し、データ電圧補償値に基づいてデータ電圧を補償して補償後のデータ電圧を生成し、補償後のデータ電圧を表示パネルへ出力する。本開示の実施例によれば、補償後のデータ電圧の駆動において感知電圧が一致するため、表示される画面に横帯状のしま模様が発生することを回避できる。
【００５３】
図７は本開示の実施例が提供する画素駆動装置の構造模式図であり、図７に示すように、当該装置は第１の生成モジュール１１と、照会モジュール１２と、補償モジュール１３と、出力モジュール１４と、を含む。
【００５４】
第１の生成モジュール１１は１フレーム画面内の各画素の輝度に基づいて、１フレーム画面の輝度の総和を生成する。照会モジュール１２は、１フレーム画面の輝度の総和と当該フレーム画面のデータ電圧補償値の一対一の対応関係を含む第１の対応関係の中から輝度の総和に対応するデータ電圧補償値を照会する。補償モジュール１３は前記データ電圧補償値に基づいてデータ電圧を補償して補償後のデータ電圧を生成する。出力モジュール１４は補償後のデータ電圧を表示パネルに出力する。
【００５５】
さらに、当該装置は第１の構築モジュール１５と、第２の構築モジュール１６と、第３の構築モジュール１７と、を含む。第１の構築モジュール１５は、１フレーム画面の輝度の総和と当該フレーム画面での画素の電圧差平均値の一対一の対応関係を含む第２の対応関係を構築する。第２の構築モジュール１６は、１フレーム画面での画素の電圧差平均値とデータ電圧補償値の一対一の対応関係を含む第３の対応関係を構築する。第３の構築モジュール１７は前記第２の対応関係と第３の対応関係に基づいて第１の対応関係を構築する。
【００５６】
本実施例において、前記電圧差平均値は、１フレーム画面での全画素の感知電圧の平均値であるか、または、１フレーム画面での設定行数の画素の感知電圧の平均値である。
【００５７】
さらに、当該装置は第２の生成モジュール１８をさらに含む。第２の生成モジュール１８は１フレーム画面内の各画素のデータ電圧に基づいて、各画素の輝度を生成する。
【００５８】
本開示の実施例が提供する画素駆動装置は、上記の実施例が提供する画素駆動方法を実現することができる。
【００５９】
なお、前記画素駆動装置はメモリとプロセッサとで実現することができ、メモリとプロセッサが互いに結合され、メモリが、コンピュータ実行可能なコマンドを記憶し、前記コンピュータ実行可能なコマンドが、本開示の実施例にて提供する画素駆動方法の各ステップを前記プロセッサに実行させる。例えば、前記コンピュータ実行可能なコマンドは、上記の第１の生成モジュール１１、照会モジュール１２、補償モジュール１３、出力モジュール１４、第１の構築モジュール１５、第２の構築モジュール１６、第３の構築モジュール１７、第２の生成モジュール１８における１つまたは複数の機能を前記プロセッサに実現させることができる。コンピュータ実行可能なコマンドがプロセッサに実現させるモジュールの機能は任意の組み合わせであってよく、互いに排斥もしくは矛盾しなければよい。
【００６０】
適切なメモリの例としては、磁気ディスクまたは磁気テープ、光ディスク（ＣＤ）あるいはＤＶＤ（デジタル多用途ディスク）などの光学記憶媒体、フラッシュメモリ、およびその他の非一時的媒体が挙げられるが、これらに限定されない。任意で、前記メモリは非一時的メモリであってもよい。
【００６１】
当然ながら、本開示の画素駆動装置はこれに限定されず、その他のソフトウェアとハードウェアとを組み合わせた形式として実施することもできる。
【００６２】
本開示の実施例が提供する画素駆動装置では、１フレーム画面の輝度の総和に基づいて、輝度の総和に対応するデータ電圧補償値を照会し、データ電圧補償値に基づいてデータ電圧を補償して補償後のデータ電圧を生成し、補償後のデータ電圧を表示パネルへ出力する。本開示の実施例によれば、データ電圧の駆動において感知電圧が一致するため、表示される画面に横帯状のしま模様が発生することを回避できる。
【００６３】
別の形態において、本開示の実施例は、表示パネルと画素駆動装置とを有する表示装置を提供する。画素駆動装置は上述の実施例にて提供する画素駆動装置を用いることができ、ここでは改めて説明しない。
【００６４】
本開示の実施例が提供する表示装置では、１フレーム画面の輝度の総和に基づいて、輝度の総和に対応するデータ電圧補償値を照会し、データ電圧補償値に基づいてデータ電圧を補償して補償後のデータ電圧を生成し、補償後のデータ電圧を表示パネルへ出力する。本開示の実施例によれば、補償後のデータ電圧の駆動において感知電圧が一致するため、表示される画面に横帯状のしま模様が発生することを回避できる。
【００６５】
上記の実施の形態は本開示の原理を説明するために用いた例示的な実施の形態に過ぎず、本開示はこれに限定されない。当業者は、本開示の精神と実質を逸脱しない範囲で各種変形と改善を加えることができ、これらの変形と改善も本開示の請求範囲として見なされる。
【図１】
2020537168.tif 000003
【図２】
2020537168.tif 000004
【図３】
2020537168.tif 000005
【図４】
2020537168.tif 000006
【図５】
2020537168.tif 000007
【図６】
2020537168.tif 000008
【図７】
2020537168.tif 000009
【国際調査報告】
2020537168.tif 000010
2020537168.tif 000011
2020537168.tif 000012
2020537168.tif 000013